(57)【要約】【課題】壁掛け式のキャビネットを備えた高い使い勝手のトイレユニットを提供することを目的とする。【解決手段】床面から浮いた状態で壁面に取り付けられる壁掛け式のキャビネットと、前記キャビネットの上部に設けられる手洗い器と、前記手洗い器に接続された排水管と、前記手洗い器に温水を供給する電気温水器と、を備え、前記キャビネットは、第１収納空間と、横方向において前記第１収納空間と仕切られた第２収納空間と、を有し、前記手洗い器は、前記第１収納空間の上に設けられ、前記排水管は、前記第１収納空間内に設けられ、前記電気温水器は、前記第２収納空間内に設けられることを特徴とするトイレユニットである。【選択図】図５
2018102356.tif 000002
【特許請求の範囲】
【請求項１】
床面から浮いた状態で壁面に取り付けられる壁掛け式のキャビネットと、
前記キャビネットの上部に設けられる手洗い器と、
前記手洗い器に接続された排水管と、
前記手洗い器に温水を供給する電気温水器と、
を備え、
前記キャビネットは、第１収納空間と、横方向において前記第１収納空間と仕切られた第２収納空間と、を有し、
前記手洗い器は、前記第１収納空間の上に設けられ、
前記排水管は、前記第１収納空間内に設けられ、
前記電気温水器は、前記第２収納空間内に設けられることを特徴とするトイレユニット。
【請求項２】
前記第２収納空間内に設けられ、トイレットペーパを保持する紙巻器をさらに備え、
前記電気温水器は、前記第２収納空間内において前記紙巻器の背後に設けられることを特徴とする請求項１記載のトイレユニット。
【請求項３】
前記電気温水器は、内部に供給された水を加熱する本体部と、前記本体部の下部に設けられ前記本体部内の水を外部に排水するための排水栓と、を有し、前記第２収納空間内に設けられるとともに、前記本体部の前記下部を前記第２収納空間から下方に突出させ、前記排水栓を前記第２収納空間よりも下方に位置させた状態で、前記キャビネットに取り付けられることを特徴とする請求項１又は２に記載のトイレユニット。
【請求項４】
前記キャビネットの下部に取り付けられ、前記電気温水器の前記第２収納空間よりも下方に突出した部分を覆うカバー部材をさらに備えたことを特徴とする請求項３記載のトイレユニット。
【請求項５】
前記第２収納空間内に設けられ、前記手洗い器への水の供給を止めるための止水栓をさらに備え、
前記キャビネットは、前記第１収納空間と前記第２収納空間とを有する収納本体と、前記第２収納空間内において前記収納本体に着脱可能に取り付けられる背板部と、を有し、
前記背板部は、前記収納本体に取り付けられた状態において、前記電気温水器及び前記止水栓の前方を覆い、
前記キャビネットは、前記背板部を前記収納本体から取り外した状態において、前記電気温水器及び前記止水栓への前方からのアクセスを可能にすることを特徴とする請求項１〜４のいずれか１つに記載のトイレユニット。
【請求項６】
前記止水栓は、前記手洗い器への水の供給及び供給の停止を切り替えるための操作部を有し、前記操作部を前方に向けた状態で前記第２収納空間内に設けられ、
前記背板部は、前記収納本体に取り付けられた状態において、前記止水栓の前記操作部を前方に露出させる開口部を有することを特徴とする請求項５記載のトイレユニット。
【請求項７】
前記キャビネットは、メンテナンスを必要とする部材を、前記第２収納空間内にまとめて収納することを特徴とする請求項１〜６のいずれか１つに記載のトイレユニット。
【請求項８】
前記キャビネットは、便器に対して側方の前記壁面に取り付けられ、
前記第１収納空間は、前記便器よりも前方に配置され、
前記第２収納空間は、前記第１収納空間の後方に配置されることを特徴とする請求項１〜７のいずれか１つに記載のトイレユニット。
【発明の詳細な説明】
【技術分野】
【０００１】
本発明の態様は、一般的に、トイレユニットに関する。
【背景技術】
【０００２】
収納空間を有するキャビネットと、キャビネットの上に設けられた手洗い器と、手洗い器に接続された排水管と、手洗い器に温水を供給する電気温水器と、を備えたトイレユニットが知られている（例えば、特許文献１）。
【０００３】
排水管及び電気温水器は、手洗い器の下方のキャビネットの収納空間内に設けられる。このように、排水管及び電気温水器を収納空間内に隠蔽することにより、トイレユニットの意匠性を向上させることができる。また、電気温水器と手洗い器との間の距離が短くなり、電気温水器と手洗い器との間の管路内に残る水の量を少なくすることができる。すなわち、吐水開始時に、管路内に残った冷たい水が吐水されてしまうことを抑制することができる。
【０００４】
また、トイレユニットにおいて、床面から浮いた状態でキャビネットを壁面に取り付ける壁掛け式のキャビネットとすることが提案されている。壁掛け式のキャビネットでは、床置き式のキャビネットと比べて、使用者にすっきりとした印象を与え、トイレユニットの意匠性を向上させることができる。さらには、トイレ室の床面を清掃し易くすることができる。
【０００５】
トイレユニットでは、壁掛け式のキャビネットとした場合に、手洗い器や電気温水器などを効率良く配置し、使い勝手を向上させることが望まれる。
【先行技術文献】
【特許文献】
【０００６】
【特許文献１】特開２００４−１６００６７号公報
【発明の概要】
【発明が解決しようとする課題】
【０００７】
本発明は、かかる課題の認識に基づいてなされたものであり、壁掛け式のキャビネットを備えた高い使い勝手のトイレユニットを提供することを目的とする。
【課題を解決するための手段】
【０００８】
第１の発明は、床面から浮いた状態で壁面に取り付けられる壁掛け式のキャビネットと、前記キャビネットの上部に設けられる手洗い器と、前記手洗い器に接続された排水管と、前記手洗い器に温水を供給する電気温水器と、を備え、前記キャビネットは、第１収納空間と、横方向において前記第１収納空間と仕切られた第２収納空間と、を有し、前記手洗い器は、前記第１収納空間の上に設けられ、前記排水管は、前記第１収納空間内に設けられ、前記電気温水器は、前記第２収納空間内に設けられることを特徴とするトイレユニットである。
【０００９】
このトイレユニットによれば、第１収納空間内に排水管を設け、第２収納空間内に電気温水器を設けることにより、排水管と電気温水器とを同じ収納空間内に設ける場合と比べて、第１収納空間の容積を大きくすることができるとともに、第１収納空間に物品を出し入れする際などに電気温水器に手が当たることがなく、第１収納空間に物品を出し入れし易くすることができる。また、物品の出し入れなどの際に電気温水器に手が当たり、電気温水器に不具合が生じてしまうことなども抑制することができる。
【００１０】
さらには、排水管と電気温水器とを同じ収納空間内に設ける場合と比べて、電気温水器から発せられる熱を排水管に伝わり難くし、電気温水器から発せられる熱に起因して排水管の外表面に結露が生じてしまうことを抑制することができる。例えば、結露した水が第１収納空間内の収納物品に悪影響を及ぼしたり、結露した水が第１収納空間内を汚してしまうことなどを抑制することができる。従って、壁掛け式のキャビネットを備えたトイレユニットにおいて、使い勝手を向上させることができる。
【００１１】
第２の発明は、第１の発明において、前記第２収納空間内に設けられ、トイレットペーパを保持する紙巻器をさらに備え、前記電気温水器は、前記第２収納空間内において前記紙巻器の背後に設けられることを特徴とするトイレユニットである。
【００１２】
このトイレユニットによれば、デッドスペースとなり易い紙巻器の背後の空間を有効的に活用することができる。第１収納空間において高い収納性を維持しつつ、電気温水器及び紙巻器を効率的に配置することができる。従って、トイレユニットの使い勝手をより向上させることができる。
【００１３】
第３の発明は、第１又は第２の発明において、前記電気温水器は、内部に供給された水を加熱する本体部と、前記本体部の下部に設けられ前記本体部内の水を外部に排水するための排水栓と、を有し、前記第２収納空間内に設けられるとともに、前記本体部の前記下部を前記第２収納空間から下方に突出させ、前記排水栓を前記第２収納空間よりも下方に位置させた状態で、前記キャビネットに取り付けられることを特徴とするトイレユニットである。
【００１４】
このトイレユニットによれば、電気温水器の水抜きを行う際に、キャビネットの取り外しや電気温水器の取り外しなどといった大掛かりな作業を行う必要がなく、排水栓を操作することで電気温水器の水抜きを簡単に行うことできる。また、キャビネットが床面から浮いているため、キャビネットの下方の空間に水を受ける容器などを設置することができ、電気温水器の水抜きをより簡単に行うことができる。従って、トイレユニットの使い勝手をより向上させることができる。また、電気温水器を下方に突出させた場合には、電気温水器の突出した部分がキャビネットに隠れるため、電気温水器が使用者に視認されてしまうことも抑制することができる。すなわち、意匠性の低下を抑制しつつ、トイレユニットの使い勝手をより向上させることができる。
【００１５】
第４の発明は、第３の発明において、前記キャビネットの下部に取り付けられ、前記電気温水器の前記第２収納空間よりも下方に突出した部分を覆うカバー部材をさらに備えたことを特徴とするトイレユニットである。
【００１６】
このトイレユニットによれば、電気温水器が使用者に視認されてしまうことを、より確実に抑制し、トイレユニットの意匠性を向上させることができる。
【００１７】
第５の発明は、第１〜第４のいずれか１つの発明において、前記第２収納空間内に設けられ、前記手洗い器への水の供給を止めるための止水栓をさらに備え、前記キャビネットは、前記第１収納空間と前記第２収納空間とを有する収納本体と、前記第２収納空間内において前記収納本体に着脱可能に取り付けられる背板部と、を有し、前記背板部は、前記収納本体に取り付けられた状態において、前記電気温水器及び前記止水栓の前方を覆い、前記キャビネットは、前記背板部を前記収納本体から取り外した状態において、前記電気温水器及び前記止水栓への前方からのアクセスを可能にすることを特徴とするトイレユニットである。
【００１８】
このトイレユニットによれば、着脱可能な背板部を設けることにより、電気温水器及び止水栓の視認を抑制し、意匠性を向上させることができるとともに、背板部を取り外すことで、電気温水器及び止水栓を容易にメンテナンスすることができる。従って、意匠性を向上させつつ、トイレユニットの使い勝手をより向上させることができる。
【００１９】
第６の発明は、第５の発明において、前記止水栓は、前記手洗い器への水の供給及び供給の停止を切り替えるための操作部を有し、前記操作部を前方に向けた状態で前記第２収納空間内に設けられ、前記背板部は、前記収納本体に取り付けられた状態において、前記止水栓の前記操作部を前方に露出させる開口部を有することを特徴とするトイレユニットである。
【００２０】
このトイレユニットによれば、背板部を取り外すことなくメンテナンス頻度の高い止水栓の操作部を操作することができる。従って、意匠性の低下を抑制しつつ、トイレユニットの使い勝手をより向上させることができる。
【００２１】
第７の発明は、第１〜第６のいずれか１つの発明において、前記キャビネットは、メンテナンスを必要とする部材を、前記第２収納空間内にまとめて収納することを特徴とするトイレユニットである。
【００２２】
このトイレユニットによれば、メンテナンスを効率良く行うことができ、トイレユニットの使い勝手をより向上させることができる。
【００２３】
第８の発明は、第１〜第７のいずれか１つの発明において、前記キャビネットは、便器に対して側方の前記壁面に取り付けられ、前記第１収納空間は、前記便器よりも前方に配置され、前記第２収納空間は、前記第１収納空間の後方に配置されることを特徴とするトイレユニットである。
【００２４】
このトイレユニットによれば、便器の前方の比較的広い空間で手洗いを行わせることができるとともに、電気温水器をキャビネットの中央付近に配置することができ、給水管などの位置によらず、電気温水器への給水を行い易くすることができる。従って、トイレユニットの使い勝手をより向上させることができる。
【発明の効果】
【００２５】
本発明の態様によれば、壁掛け式のキャビネットを備えた高い使い勝手のトイレユニットが提供される。
【図面の簡単な説明】
【００２６】
【図１】実施形態に係るトイレシステムを表す斜視図である。
【図２】図２（ａ）及び図２（ｂ）は、実施形態に係るトイレ装置を表す平面図及び斜視図である。
【図３】実施形態に係る鏡ユニットを表す側面図である。
【図４】実施形態に係るトイレユニットを表す正面図である。
【図５】実施形態に係るトイレユニットを表す斜視図である。
【図６】図６（ａ）及び図６（ｂ）は、実施形態に係るリモコンを表す斜視図である。
【図７】実施形態に係るトイレユニットの一部を表す正面図である。
【図８】実施形態に係るトイレユニットの一部を表す断面図である。
【図９】実施形態に係るトイレユニットの一部を表す正面図である。
【図１０】実施形態に係るトイレユニットの一部を表す正面図である。
【図１１】図１１（ａ）及び図１１（ｂ）は、実施形態に係るトイレユニットの一部を表す斜視図である。
【図１２】図１２（ａ）及び図１２（ｂ）は、実施形態に係るトイレユニットの変形例を表す斜視図である。
【発明を実施するための形態】
【００２７】
以下、本発明の実施形態について図面を参照しつつ説明する。なお、各図面中、同様の構成要素には同一の符号を付して詳細な説明は適宜省略する。  
図１は、実施形態に係るトイレシステムを表す斜視図である。  
図１に表したように、トイレシステム２は、トイレユニット１０と、トイレ装置２０と、鏡ユニット３０と、を備える。トイレシステム２は、トイレ室ＴＲに設置して使用される。トイレシステム２において、鏡ユニット３０は、必要に応じて設けられ、省略可能である。トイレシステム２は、少なくともトイレユニット１０とトイレ装置２０とを備えていればよい。
【００２８】
図２（ａ）及び図２（ｂ）は、実施形態に係るトイレ装置を表す平面図及び斜視図である。  
図２（ａ）及び図２（ｂ）に表したように、トイレ装置２０は、便器２１と、便座２２と、便蓋２３と、機能部２４と、を有する。
【００２９】
便器２１は、上部から下方に凹む凹状のボウル部２１ａを有する。使用者は、便器２１の上に腰掛けた状態で、ボウル部２１ａに尿や便などを排泄する。便器２１は、ボウル部２１ａにおいて使用者の尿や便などの排泄物を受ける。便器２１は、換言すれば、洋式腰掛便器である。
【００３０】
ここで、本願明細書においては、便器２１を基準とした場合、便器２１に腰掛けた使用者からみた上方、下方、前方、後方、右側方、及び左側方を、それぞれ「上方」、「下方」、「前方」、「後方」、「右側方」、及び「左側方」とする。
【００３１】
便器２１は、トイレ室ＴＲの後方に設けられる。便器２１は、トイレ室ＴＲの後方の壁面に近接して配置される。便器２１は、例えば、トイレ室ＴＲの後方の壁面に取り付けてもよい。便器２１は、いわゆる壁掛け式の大便器でもよい。
【００３２】
便座２２は、便器２１の上に設けられている。便蓋２３は、便器２１の上に、便座２２を覆うように設けられている。機能部２４は、便器２１の後方上部に設けられている。便座２２及び便蓋２３は、機能部２４に回動可能に軸支されている。便座２２及び便蓋２３は、例えば、便器２１に軸支させてもよい。機能部２４は、必要に応じて設けられ、省略可能である。
【００３３】
機能部２４は、制御部２５と、照明部２６と、人体検知センサ２７と、着座検知センサ２８と、を有する。人体検知センサ２７は、例えば、赤外線センサやマイクロ波センサなどであり、トイレ室ＴＲへの人体の入室を検知する。着座検知センサ２８は、例えば、機械式のスイッチや赤外線を用いた測距センサなどであり、便座２２への人体の着座を検知する。人体検知センサ２７および着座検知センサ２８は、検知結果を制御部２５に送信する。制御部２５は、人体検知センサ２７及び着座検知センサ２８から送信された検知結果に基づき、トイレ室ＴＲ内に設けられた種々の構成要素の動作を制御する。
【００３４】
照明部２６は、便器２１の後方に設けられ、機能部２４の上部に位置している。照明部２６は、点灯時においてトイレ装置２０の後方に向けて光Ｌ１を照射し、トイレ装置２０の後方の壁を照らす。
【００３５】
照明部２６の点灯及び消灯は、制御部２５によって制御される。制御部２５は、例えば、人体検知センサ２７の人体の検知に応答して照明部２６を点灯させ、人体検知センサ２７の人体の非検知に応答して照明部２６を消灯させる。
【００３６】
照明部２６は、例えば、便器２１の両側の側方に設けてもよい。この場合、照明部２６は、点灯時においてトイレ装置２０の側方に向けて光を照射する。あるいは、照明部２６は、トイレ装置１０の側方および後方に設けてもよい。
【００３７】
機能部２４は、便座２２を温める暖房便座機能や便座２２に着座した使用者の局部を洗浄する局部洗浄機能などを、さらに有していてもよい。
【００３８】
図３は、実施形態に係る鏡ユニットを表す側面図である。  
図３に表したように、鏡ユニット３０は、鏡本体３１と、制御部３２と、照明部３３と、支持部３４と、を有する。鏡ユニット３０は、トイレ室ＴＲの壁面ＷＳに取り付けられる。より詳しくは、鏡ユニット３０は、トイレ装置２０（便器２１）に対して側方の壁面ＷＳに取り付けられる。
【００３９】
鏡本体３１は、支持部３４を介して壁面ＷＳに取り付けられる。これにより、鏡本体３１は、壁面ＷＳから僅かに離間した状態（浮いた状態）で、壁面ＷＳに取り付けられる。鏡本体３１は、トイレ室ＴＲの内部に面する鏡面を有する。
【００４０】
照明部３３は、例えば、鏡本体３１の下部の裏側に設けられる。照明部３３は、点灯時において鏡本体３１の下方に向けて光Ｌ２を照射する。制御部３２は、トイレ装置２０の制御部２５から送られた信号を受信し、当該信号に基づいて照明部３３を点灯及び消灯させる。トイレ装置２０の制御部２５及び鏡ユニット３０の制御部３２は、例えば、トイレ装置２０の照明部２６に同期させて、照明部３３を点灯及び消灯させる。
【００４１】
照明部３３は、鏡本体３１の表側に設けられていてもよい。この場合、照明部３３は、例えば、鏡本体３１の下端に沿って設けられる。照明部３３は、鏡本体３１の上端及び下端の両方に設けてもよい。この場合、それぞれの照明部３３は、鏡本体３１の上端及び下端に沿って設けられる。照明部３３は、少なくとも鏡本体３１の下方に向けて光を照射可能であればよい。
【００４２】
図４は、実施形態に係るトイレユニットを表す正面図である。  
図５は、実施形態に係るトイレユニットを表す斜視図である。  
図４及び図５に表したように、トイレユニット１０は、キャビネット５０と、手洗い器５２と、排水管５４と、電気温水器５６と、を備える。なお、図５では、便宜的にトイレユニット１０の一部を省略して図示している。
【００４３】
キャビネット５０は、トイレ室ＴＲの床面ＦＳから浮いた状態で、トイレ室ＴＲの壁面ＷＳに取り付けられる（図１参照）。換言すれば、トイレユニット１０は、床面ＦＳから浮いた状態で壁面ＷＳに取り付けられる。キャビネット５０は、いわゆる壁掛け式のキャビネットである。キャビネット５０は、例えば、略直方体の箱状に形成され、内部の空間に物品を収納可能とする。
【００４４】
ここで、本願明細書においては、キャビネット５０を基準とした場合、キャビネット５０の向く方向を「前方」とし、これと反対の方向を「後方」とする。この場合において、「前方」は、換言すれば、壁面ＷＳから離間する方向である。また、キャビネット５０を基準とした場合、キャビネット５０と対面する使用者からみた上方、下方、右側方、及び左側方を、それぞれ「上方」、「下方」、「右側方」、及び「左側方」とする。このため、図５における各方向の定義は、図１における各方向の定義と異なっている。この例において、キャビネット５０を基準とした場合の「右側方」は、便器２１を基準とした場合の「前方」に相当している。
【００４５】
キャビネット５０の左右方向の長さ（横幅）は、壁面ＷＳの左右方向の長さと実質的に同じである。キャビネット５０は、便器２１の側方の壁面ＷＳの幅全体に設けられる。これにより、例えば、キャビネット５０において、高い収納性を得ることができる。但し、キャビネット５０の左右方向の長さは、壁面ＷＳの左右方向の長さよりも短くてもよい。
【００４６】
手洗い器５２は、キャビネット５０の上部に設けられる。手洗い器５２は、水を吐出する水栓部５２ａと、水栓部５２ａから吐出された水を受けるボウル部５２ｂと、を有する。手洗い器５２は、トイレ室ＴＲ内での手洗いを可能にする。
【００４７】
水栓部５２ａは、例えば、自動水栓である。水栓部５２ａは、図示を省略した検知センサを有し、検知センサによる使用者の手などの検知に応じて吐水を開始し、非検知に応じて吐水を停止する。水栓部５２ａは、自動水栓に限ることなく、ハンドルやレバーなどの操作部を有し、操作部の操作に応じて吐止水を切り替える手動式の水栓でもよい。
【００４８】
このように、トイレユニット１０は、キャビネット５０によって物品を収納可能とするとともに、手洗い器５２によってトイレ室ＴＲ内での手洗いを可能にする。これにより、トイレユニット１０は、トイレ室ＴＲの使い勝手を向上させる。
【００４９】
キャビネット５０（トイレユニット１０）は、例えば、鏡ユニット３０と同じ壁面ＷＳに取り付けられる。鏡ユニット３０は、キャビネット５０の上方に設けられる。キャビネット５０の上端（上面）の床面ＦＳからの高さは、例えば、使用者がキャビネット５０に対面して立った状態で、手洗い器５２で手洗いをし易い高さに設定される。キャビネット５０の上端の高さは、例えば、６０ｃｍ以上１２０ｃｍ以下である。これにより、手洗い器５２で手洗いをし易くすることができる。キャビネット５０の下端の高さは、例えば、２０ｃｍ以上４０ｃｍ以下である。これにより、キャビネット５０において高い収納性を得られるとともに、キャビネット５０の下方の床面ＦＳを清掃し易くすることができる。さらには、キャビネット５０の浮遊感を強くし、すっきりとした印象を使用者に与えてトイレユニット１０の意匠性を向上させることができる。
【００５０】
鏡ユニット３０の高さは、例えば、キャビネット５０に対面して立った使用者が、顔などを確認し易い高さに設定される。また、鏡本体３１の少なくとも一部は、手洗い器５２の上方に設けられる。これにより、使用者に手洗いをさせながら顔などを確認させることができる。
【００５１】
鏡ユニット３０の照明部３３の一部は、手洗い器５２の上方に設けられる。照明部３３は、点灯時に光Ｌ２によって手洗い器５２を照らす。これにより、手洗い器５２でより手洗いをし易くすることができる。照明部３３は、例えば、手洗い器５２をより強く照らすために、トイレ室ＴＲの室内側に向けて光軸を傾けて設けてもよい。または、鏡ユニット３０の下方の壁面ＷＳをより強く照らすために、壁面ＷＳ側に向けて光軸を傾けて設けてもよい。
【００５２】
排水管５４の一端は、手洗い器５２のボウル部５２ｂに接続されている。より詳しくは、排水管５４の一端は、ボウル部５２ｂの排水口に接続されている。排水管５４の他端は、壁面ＷＳに接続されている。排水管５４は、手洗い器５２のボウル部５２ｂと建築の排水設備とを接続し、ボウル部５２ｂの受けた水を建築の排水設備に排水する。排水管５４には、例えば、ステンレスなどの金属材料が用いられる。排水管５４は、例えば、金属製である。但し、上記に限ることなく、排水管５４には、樹脂材料などを用いてもよい。
【００５３】
排水管５４は、内部に封水を溜めるトラップ部５４ａを有する。この例では、いわゆる壁排水の例を示している。この例において、排水管５４は、いわゆるＰトラップである。トイレ室ＴＲの排水形態は、床排水でもよい。排水管５４の他端は、床面ＦＳに接続してもよい。排水管５４は、いわゆるＳトラップでもよい。
【００５４】
電気温水器５６は、給水源に接続されるとともに、手洗い器５２の水栓部５２ａに接続される。電気温水器５６は、手洗い器５２の水栓部５２ａに温水を供給する。電気温水器５６は、例えば、給水源から供給された水を貯水するタンクと、タンク内の水を加熱する電気ヒータと、を有し、加熱後のタンク内の水（温水）を手洗い器５２に供給する。これにより、冬などの給水源の水の冷たい時期などにおいても、使用者に快適に手洗いをさせることができる。従って、トイレユニット１０の使い勝手をより向上させることができる。
【００５５】
キャビネット５０は、収納本体５０ａを有する。収納本体５０ａは、例えば、前方を開口させた略矩形の箱状である。収納本体５０ａは、第１収納空間ＳＳ１と、第２収納空間ＳＳ２と、第３収納空間ＳＳ３と、を有する。第２収納空間ＳＳ２は、横方向において第１収納空間ＳＳ１と仕切られている。第３収納空間ＳＳ３は、横方向において第１収納空間ＳＳ１及び第２収納空間ＳＳ２と仕切られている。横方向とは、具体的には、キャビネット５０を基準とした場合の左右方向である。第２収納空間ＳＳ２は、横方向において第１収納空間ＳＳ１と隣接する。第３収納空間ＳＳ３は、横方向において第２収納空間ＳＳ２と隣接する。第２収納空間ＳＳ２は、第１収納空間ＳＳ１と第３収納空間ＳＳ３との間に設けられる。
【００５６】
各収納空間ＳＳ１〜ＳＳ３は、例えば、収納本体５０ａの内部空間を仕切り板で仕切ることによって形成される。各収納空間ＳＳ１〜ＳＳ３は、例えば、前方を開口させた開口箱状の部材を並べることによって形成してもよい。換言すれば、収納本体５０ａは、複数の部材で構成してもよい。
【００５７】
各収納空間ＳＳ１〜ＳＳ３の配置は、上記に限定されるものではない。例えば、第２収納空間ＳＳ２と第３収納空間ＳＳ３との間に、第１収納空間ＳＳ１を設けてもよい。また、キャビネット５０の有する収納空間の数は、３つに限ることなく、４つ以上でもよい。キャビネット５０は、横方向に並ぶ第１収納空間ＳＳ１と第２収納空間ＳＳ２とを少なくとも有していればよい。
【００５８】
手洗い器５２は、第１収納空間ＳＳ１の上に設けられる。排水管５４は、第１収納空間ＳＳ１内に設けられる。すなわち、排水管５４は、手洗い器５２の下方の空間に収納される。電気温水器５６は、第２収納空間ＳＳ２内に設けられる。このように、電気温水器５６は、排水管５４の設けられた第１収納空間ＳＳ１と仕切られた隣の第２収納空間ＳＳ２内に設けられる。
【００５９】
キャビネット５０は、便器２１に対して側方の壁面ＷＳに取り付けられている。第１収納空間ＳＳ１は、便器２１よりも前方に配置される（図１参照）。第１収納空間ＳＳ１は、便器２１に対して前方の壁側に寄せて配置される。換言すれば、第１収納空間ＳＳ１は、トイレ室ＴＲの出入口側に寄せて配置される。これにより、第１収納空間ＳＳ１の上に設けられた手洗い器５２で、より手洗いをし易くすることができる。
【００６０】
便器２１を基準とした場合において、第２収納空間ＳＳ２は、第１収納空間ＳＳ１の後方に配置され、第３収納空間ＳＳ３は、第２収納空間ＳＳ２の後方に配置される。第２収納空間ＳＳ２は、例えば、トイレ室ＴＲの前後方向の中央付近に配置される。これにより、例えば、第２収納空間ＳＳ２内に設けられた電気温水器５６の操作やメンテナンスなどをし易くすることができる。
【００６１】
キャビネット５０は、引き出し６０と、扉６２と、を有する。引き出し６０は、第１収納空間ＳＳ１内に設けられる。引き出し６０は、例えば、上方を開口させた略矩形の箱状であり、第１収納空間ＳＳ１内に収納された位置と、第１収納空間ＳＳ１から前方に引き出された位置と、に移動する。引き出し６０は、第１収納空間ＳＳ１内に収納された状態において、第１収納空間ＳＳ１の前方を塞ぐ。
【００６２】
第１収納空間ＳＳ１の前方は、引き出し６０に限ることなく、開閉式の扉で塞いでもよい。このように、第１収納空間ＳＳ１の前方は、引き出し６０又は扉によって閉塞可能とする。これにより、第１収納空間ＳＳ１内に収納された排水管５４や他の物品が外部に露出してしまうことを抑制でき、トイレユニット１０の意匠性を向上させることができる。
【００６３】
扉６２は、第３収納空間ＳＳ３の前方を塞ぐ位置と、第３収納空間ＳＳ３を開放する位置と、に移動する。これにより、第３収納空間ＳＳ３内に収納された物品が外部に露出してしまうことを抑制でき、トイレユニット１０の意匠性をより向上させることができる。扉６２は、例えば、横方向にスライド移動可能に収納本体５０ａに取り付けられる。扉６２は、例えば、便器２１を基準とした場合の前方側にスライド移動する。これにより、便器２１の側方に位置する第３収納空間ＳＳ３を開放する際に、扉６２が便器２１に当たってしまうことなどを抑制でき、第３収納空間ＳＳ３に物品を出し入れし易くすることができる。
【００６４】
トイレユニット１０は、紙巻器６４、６６と、リモコン６８と、をさらに備える。紙巻器６４、６６は、第２収納空間ＳＳ２内に設けられる。紙巻器６４、６６は、トイレットペーパＴＰを交換可能に保持する。紙巻器６４、６６は、例えば、ネジ止めなどにより、第２収納空間ＳＳ２内に着脱可能に取り付けられる。この例では、横方向に並ぶ２つの紙巻器６４、６６を示している。トイレユニット１０に設けられる紙巻器の数は、２つに限ることなく、１つでもよい。
【００６５】
リモコン６８は、第２収納空間ＳＳ２内に設けられる。リモコン６８は、例えば、ネジ止めなどにより、第２収納空間ＳＳ２内に着脱可能に取り付けられる。リモコン６８は、例えば、第２収納空間ＳＳ２の天井面に取り付けられ、第２収納空間ＳＳ２の上部に配置される。紙巻器６４、６６は、例えば、第２収納空間ＳＳ２内において、リモコン６８の下方に配置される。
【００６６】
図６（ａ）及び図６（ｂ）は、実施形態に係るリモコンを表す斜視図である。  
図６（ａ）及び図６（ｂ）に表したように、リモコン６８は、操作部７０と、可動部７２と、を有する。操作部７０は、例えば、ボタン７０ａ〜７０ｃやタッチスクリーン７０ｄなどの操作部材を有しており、使用者からの操作指示を受ける。
【００６７】
可動部７２は、図６（ａ）に表したように、操作部７０を第２収納空間ＳＳ２内に収納した位置と、図６（ｂ）に表したように、操作部７０を前方側に露出させて操作部７０の操作を可能とした位置と、に移動する。可動部７２は、例えば、横方向を軸に回動可能に取り付けられており、回動により上記の各位置に移動する。また、可動部７２は、操作部７０を収納した状態において、引き出し６０の前面や扉６２の前面と略面一になる。
【００６８】
リモコン６８は、例えば、トイレ室ＴＲ内に使用者がいない非使用時などに操作部７０を収納する。トイレ装置２０の制御部２５は、着座検知センサ１８が使用者の着座を検知したことに応じて、リモコン６８に信号を送信する。リモコン６８は、この制御部２５からの信号に応じて、操作部７０を収納した状態から操作部７０を露出させた状態に可動部７２を移動させる。これにより、リモコン６８においては、使用者の着座に応じて、操作部７０が非使用状態から使用状態に変化する。また、リモコン６８は、使用者が便座２２から離れたこと又はトイレ室ＴＲから退室したことがトイレ装置２０で検知されたことに応じて、再び操作部７０を収納する。
【００６９】
前述のように、便器２１は、トイレ室ＴＲの後方側に配置され、第２収納空間ＳＳ２は、トイレ室ＴＲの前後方向の中央付近に配置される。従って、紙巻器６４、６６及びリモコン６８を第２収納空間ＳＳ２に設けることにより、紙巻器６４、６６及びリモコン６８を便座２２に着座した使用者の手元付近に配置することができる。これにより、紙巻器６４、６６及びリモコン６８を操作し易くすることができ、トイレユニット１０の使い勝手をより向上させることができる。
【００７０】
図７は、実施形態に係るトイレユニットの一部を表す正面図である。  
図７では、トイレユニット１０の第２収納空間ＳＳ２の部分を拡大して図示している。また、図７では、トイレユニット１０の一部の図示を便宜的に省略している。  
図７に表したように、トイレユニット１０は、止水栓８０と、電磁弁８２と、制御部８４と、をさらに備える。止水栓８０、電磁弁８２、及び制御部８４の各部は、第２収納空間ＳＳ２内に設けられる。
【００７１】
止水栓８０は、手洗い器５２への水の供給を止めるための部材である。止水栓８０は、壁面ＷＳに接続され、壁面ＷＳを介して給水管などの給水源に接続される。この例では、いわゆる壁給水の例を示している。トイレ室ＴＲの給水形態は、床給水でもよい。止水栓８０は、床面ＦＳに接続してもよい。
【００７２】
止水栓８０は、第１操作部８０ａと、第２操作部８０ｂと、を有している。止水栓８０は、第１操作部８０ａ及び第２操作部８０ｂを前方に向けた状態で第２収納空間ＳＳ２内に設けられる。第１操作部８０ａは、手洗い器５２への水の供給及び供給の停止を切り替える。止水栓８０では、例えば、第１操作部８０ａを回転操作することにより、手洗い器５２への水の供給及び供給の停止が切り替えられる。
【００７３】
第２操作部８０ｂは、止水栓８０内に設けられたフィルタのメンテナンスに用いられる。止水栓８０では、例えば、手洗い器５２への水の供給を停止させた状態で、第２操作部８０ｂを回転操作することにより、内部に設けられたフィルタを取り外すことができる。これにより、止水栓８０において、フィルタの清掃や交換などのメンテナスを行うことができる。
【００７４】
電磁弁８２は、止水栓８０の下流に接続されるとともに、電気温水器５６に接続される。換言すれば、電磁弁８２は、止水栓８０と電気温水器５６との間に設けられる。電磁弁８２は、止水栓８０と電気温水器５６との間の給水路を開閉する。換言すれば、電磁弁８２は、電気温水器５６への給水及び給水の停止を切り替える。
【００７５】
制御部８４は、手洗い器５２の水栓部５２ａに設けられた検知センサと電気的に接続されるとともに、電磁弁８２と電気的に接続される。制御部８４は、検知センサの検知結果に応じて電磁弁８２の開閉を制御する。制御部８４は、検知センサの検知に応じて電磁弁８２を開き、検知センサの非検知に応じて電磁弁８２を閉じる。これにより、前述のように、検知センサの検知に応じて、水栓部５２ａからの吐止水が切り替えられる。
【００７６】
手洗い器５２を手動式の水栓とする場合には、電磁弁８２及び制御部８４は、省略可能である。この場合には、例えば、止水栓８０が、電気温水器５６と接続される。手動式の水栓の場合には、水栓部５２ａの操作部を操作することにより、電気温水器５６内の温水が水栓部５２ａに供給されるとともに、給水源から供給された水が電気温水器５６に給水される。
【００７７】
このように、キャビネット５０は、リモコン６８、止水栓８０、電磁弁８２、及び制御部８４などのメンテナンスを必要とする部材を、第２収納空間ＳＳ２内にまとめて収納する。キャビネット５０は、電気温水器５６を第２収納空間ＳＳ２内に収納擦るとともに、リモコン６８、止水栓８０、電磁弁８２、及び制御部８４の少なくともいずれかを第２収納空間ＳＳ２内に収納する。
【００７８】
電気温水器５６は、本体部５６ａと、排水栓５６ｂと、を有する。本体部５６ａは、前述のタンクや電気ヒータを有し、内部に供給された水を加熱する。排水栓５６ｂは、本体部５６ａの下部に設けられ、本体部５６ａ内の水を外部に排水可能とする。すなわち、排水栓５６ｂは、電気温水器５６の水抜きに用いられる。電気温水器５６の水抜きにおいては、例えば、排水栓５６ｂにチューブなどを接続した状態で、排水栓５６ｂを開く。これにより、本体部５６ａ内の水が、排水栓５６ｂを介して外部に排水される。
【００７９】
本体部５６ａは、操作部５６ｃを有する。操作部５６ｃは、例えば、電源のＯＮ／ＯＦＦを切り替えるための電源スイッチである。操作部５６ｃは、例えば、手洗い器５２に供給する温水の温度を調節するための温度調節スイッチなどでもよい。操作部５６ｃは、例えば、電源スイッチや温度調節スイッチなどの複数の操作部材を含んでもよい。
【００８０】
電気温水器５６は、第２収納空間ＳＳ２内に設けられるとともに、本体部５６ａの下部を第２収納空間ＳＳ２から下方に突出させ、排水栓５６ｂを第２収納空間ＳＳ２よりも下方に位置させた状態で、キャビネット５０に取り付けられる。排水栓５６ｂは、キャビネット５０の収納本体５０ａの下端５０ｂよりも下方に位置する。
【００８１】
キャビネット５０は、目隠し板９０、９２、９４を有する（図４及び図５参照）。目隠し板９０、９２、９４は、電気温水器５６よりも前方側において、収納本体５０ａの下部に取り付けられる。目隠し板９０、９２、９４は、電気温水器５６の第２収納空間ＳＳ２から下方に突出した部分が、キャビネット５０の前方側から視認されてしまうことを抑制する。
【００８２】
各目隠し板９０、９２、９４のうち、横方向の中央に位置し、電気温水器５６と対向する目隠し板９０は、例えば、爪係止などにより、収納本体５０ａに着脱可能に取り付けられる。目隠し板９０を取り外すことにより、例えば、電気温水器５６の水抜きなどの際に、目隠し板９０が邪魔になることを抑制することができる。従って、トイレユニット１０のメンテナンス性を向上させることができる。
【００８３】
図８は、実施形態に係るトイレユニットの一部を表す断面図である。  
図８は、図７のＡ１−Ａ２線断面に相当する。  
図８に表したように、トイレユニット１０は、照明部９６をさらに有する。照明部９６は、目隠し板９０の裏面側に設けられ、壁面ＷＳ側に向けて光Ｌ３を照射する。これにより、照明部９６は、キャビネット５０の下方の空間を照らす。前述のように、目隠し板９０は、収納本体５０ａに着脱可能に取り付けられる。これにより、照明部９６のメンテナンス性を向上させることもできる。
【００８４】
このように、キャビネット５０の下方の空間を照明部９６で照らすことにより、トイレユニット１０の意匠性をより向上させることができる。また、壁面ＷＳ側に向けて光Ｌ３を照射することにより、例えば、鏡面仕上げ調の床材が床面ＦＳに設けられている場合に、光Ｌ３が直接的に床面ＦＳに入射し、過度に輝度の高い部分が床面ＦＳに生じてしまうことを抑制することができる。従って、トイレユニット１０の意匠性をより向上させることができる。
【００８５】
また、図８に表したように、電気温水器５６は、第２収納空間ＳＳ２内において、紙巻器６４、６６の背後に設けられる。電気温水器５６、止水栓８０、電磁弁８２、及び制御部８４は、第２収納空間ＳＳ２の比較的後方側（奥側）の領域に配置される。一方、紙巻器６４、６６及びリモコン６８は、第２収納空間ＳＳ２の電気温水器５６などが設けられた領域よりも前方の領域に配置される。これにより、第２収納空間ＳＳ２を効率良く活用することができる。また、電気温水器５６の前方に紙巻器６４、６６を配置することにより、物品の出し入れやメンテナンスなどの際に、使用者が意図せず電気温水器５６に触れてしまうことを抑制することができる。
【００８６】
以下では、電気温水器５６などが設けられた後方側の領域を、「第１領域Ｒ１」と称す。そして、紙巻器６４、６６及びリモコン６８が設けられた前方側の領域を、「第２領域Ｒ２」と称す。すなわち、第２収納空間ＳＳ２は、第１領域Ｒ１と、第１領域Ｒ１よりも前方の第２領域Ｒ２と、を有する。電気温水器５６、止水栓８０、電磁弁８２、及び制御部８４は、第１領域Ｒ１に設けられる。紙巻器６４、６６及びリモコン６８は、第２領域Ｒ２に設けられる。
【００８７】
キャビネット５０は、仕切り板１００と、扉１０２と、背板部１０４、１０６、１０８と、をさらに有する。仕切り板１００は、第２収納空間ＳＳ２の第２領域Ｒ２内に設けられる。仕切り板１００は、紙巻器６４、６６の下方に設けられ、第２領域Ｒ２を上下に仕切る。これにより、仕切り板１００は、紙巻器６４、６６の下方に収納部１１０を形成する。収納部１１０は、内部に物品の収納を可能とする。これにより、第２収納空間ＳＳ２をより効率良く活用することができる。トイレユニット１０の使い勝手をより向上させることができる。
【００８８】
扉１０２は、収納部１１０の前方に設けられる。扉１０２は、下端部を軸に回動可能に収納本体５０ａに取り付けられ、収納部１１０の前方を塞ぐ位置と、収納部１１０を開放する位置と、に移動する。これにより、収納部１１０内に収納された物品が外部に露出してしまうことを抑制でき、トイレユニット１０の意匠性をより向上させることができる。
【００８９】
背板部１０４、１０６、１０８は、第２収納空間ＳＳ２内において、収納本体５０ａに着脱可能に取り付けられる。背板部１０４、１０６、１０８は、収納本体５０ａに取り付けられた状態において、電気温水器５６、止水栓８０、電磁弁８２、及び制御部８４の前方を覆う。換言すれば、背板部１０４、１０６、１０８は、第１領域Ｒ１と第２領域Ｒ２とを仕切る。これにより、第１領域Ｒ１内に収納された物品が外部に露出してしまうことを抑制することができる。さらには、使用者などが意図せず電気温水器５６などに触れてしまうことを抑制することもできる。例えば、意図しない接触により、電気温水器５６などがキャビネット５０から外れてしまうことなどを抑制することができる。
【００９０】
背板部１０４は、収納部１１０の背面側を塞ぐ。背板部１０４は、例えば、収納本体５０ａに設けられたスリット状の溝に差し込むことにより、収納本体５０ａに着脱可能に取り付けられる。背板部１０６、１０８は、第２領域Ｒ２の収納部１１０よりも上方の部分の背面側を上下に２つに分けて塞ぐ。背板部１０６、１０８は、例えば、面ファスナにより、収納本体５０ａに着脱可能に取り付けられる。背板部１０４、１０６、１０８の取付方法は、上記に限ることなく、収納本体５０ａに対して着脱可能な任意の取付方法でよい。但し、背板部１０４、１０６、１０８の取付方法は、例えば、係合、面ファスナ、マグネットなど、工具などを用いることなく手動操作のみで着脱できる構成であることが好ましい。
【００９１】
キャビネット５０は、背板部１０４、１０６、１０８を取り外した状態において、電気温水器５６、止水栓８０、電磁弁８２、及び制御部８４への前方からのアクセスを可能にする。これにより、意匠性を向上させつつ、第１領域Ｒ１内に設けられた部材のメンテナンス性を向上させることができる。
【００９２】
この例では、３つの背板部１０４、１０６、１０８で第１領域Ｒ１と第２領域Ｒ２とを仕切っている。第１領域Ｒ１と第２領域Ｒ２とを仕切る背板部の数は、３つに限ることなく、１つ又は２つでもよいし、４つ以上でもよい。
【００９３】
図９は、実施形態に係るトイレユニットの一部を表す正面図である。  
図９は、第２収納空間ＳＳ２の部分において、扉１０２を開いた状態を表している。また、図９では、紙巻器６４、６６及びリモコン６８の図示を便宜的に省略している。
【００９４】
図９に表したように、背板部１０４は、収納本体５０ａに取り付けられた状態において、止水栓８０の第１操作部８０ａを前方に露出させる開口部１０４ａを有する。これにより、トイレユニット１０では、止水栓８０の視認を抑制しつつ、扉１０２を開くだけで第１操作部８０ａを容易に操作することができる。
【００９５】
このように、トイレユニット１０では、比較的メンテナンス頻度の高い止水栓８０の第１操作部８０ａに対し、背板部１０４などを取り外すことなく、開口部１０４ａを介してアクセスすることができる。すなわち、すぐに止水栓８０を開閉することができる。これにより、トイレユニット１０の使い勝手をより向上させることができる。
【００９６】
開口部１０４ａは、止水栓８０の第１操作部８０ａを前方に露出させるとともに、第２操作部８０ｂも前方に露出させている。開口部１０４ａは、必ずしも第２操作部８０ｂを前方に露出させなくてもよい。開口部１０４ａは、少なくとも第１操作部８０ａを前方に露出させる形状であればよい。
【００９７】
図１０は、実施形態に係るトイレユニットの一部を表す正面図である。  
図１０は、図９に表した状態から背板部１０６のみを取り外した状態を表している。  
図１０に表したように、背板部１０６は、収納本体５０ａから取り外された状態において、電気温水器５６の操作部５６ｃを前方に露出させる。換言すれば、背板部１０６は、収納本体５０ａに取り付けられた状態において、電気温水器５６の操作部５６ｃの前方を覆う。
【００９８】
トイレユニット１０では、紙巻器６４、６６からトイレットペーパＴＰを取り外した後、背板部１０６のみを取り外すことで、電気温水器５６の操作部５６ｃを操作することができる。これにより、トイレユニット１０の使い勝手をより向上させることができる。
【００９９】
また、トイレユニット１０では、例えば、トイレットペーパＴＰと背板部１０６とを取り外したのち、背板部１０４をさらに取り外すことにより、止水栓８０のフィルタのメンテナンスなどを容易に行うことができる。
【０１００】
さらに、トイレユニット１０では、トイレットペーパＴＰと各背板部１０４、１０６、１０８とを取り外すことにより、電気温水器５６などの第１領域Ｒ１内に収納された部材の交換などを容易に行うことができる。各背板部１０４、１０６、１０８を取り外すことにより、前方に開放された広い空間で作業性良くメンテナンスを行うことができる。
【０１０１】
このように、トイレユニット１０では、着脱可能な背板部１０４、１０６、１０８で電気温水器５６などを隠蔽することにより、意匠性を向上させつつ、高いメンテナンス性を得ることができる。また、使用者が意図せず電気温水器５６などに触れ、電気温水器５６などがキャビネット５０から外れてしまうことを抑制することができる。従って、高い安全性を得ることもできる。
【０１０２】
図１１（ａ）及び図１１（ｂ）は、実施形態に係るトイレユニットの一部を表す斜視図である。  
図１１（ａ）及び図１１（ｂ）は、トイレユニット１０を斜め下方から見た状態を表している。また、図１１（ａ）及び図１１（ｂ）では、目隠し板９０などの図示を便宜的に省略している。
【０１０３】
図１１（ａ）及び図１１（ｂ）に表したように、トイレユニット１０は、カバー部材１２０をさらに備える。カバー部材１２０は、キャビネット５０の下部に取り付けられ、電気温水器５６の第２収納空間ＳＳ２よりも下方に突出した部分を覆う。カバー部材１２０は、例えば、電気温水器５６の第２収納空間ＳＳ２よりも下方に突出した部分の前方、側方、及び下方を覆う。このように、カバー部材１２０を設けることにより、電気温水器５６の視認をより抑制することができ、意匠性をより向上させることができる。また、電気温水器５６の突出した部分に接触し、電気温水器５６がキャビネット５０から外れてしまうことを抑制することもできる。従って、トイレユニット１０の安全性をより向上させることもできる。
【０１０４】
カバー部材１２０は、電気温水器５６の突出した部分を覆うとともに、第２収納空間ＳＳ２の下方に向く開口を塞ぐ。これにより、例えば、鏡面仕上げ調の床材が床面ＦＳに設けられている場合に、第２収納空間ＳＳ２や第２収納空間ＳＳ２内の物品などが床面ＦＳに映ってしまうことを抑制することができる。従って、トイレユニット１０の意匠性をより向上させることができる。
【０１０５】
カバー部材１２０の外表面の材質は、例えば、キャビネット５０の外表面の材質と実質的に同じである。カバー部材１２０の外表面の材質は、例えば、キャビネット５０の前面及び底面の少なくとも一方の材質と実質的に同じである。キャビネット５０の底面は、換言すれば、収納本体５０ａの底面である。キャビネット５０の前面は、換言すれば、引き出し６０の前面や扉６２の前面である。カバー部材１２０は、例えば、キャビネット５０と実質的に同じ材料で形成されるか、あるいは、キャビネット５０の外表面と実質的に同じ材料の塗装で仕上げられる。これにより、例えば、鏡面仕上げ調の床材が床面ＦＳに設けられている場合に、床面ＦＳに映ったキャビネット５０とカバー部材１２０とを一体的に見せることができる。従って、トイレユニット１０の意匠性をより向上させることができる。
【０１０６】
以上、説明したように、本実施形態に係るトイレユニット１０によれば、第１収納空間ＳＳ１内に排水管５４を設け、第２収納空間ＳＳ２内に電気温水器５６を設けることにより、排水管５４と電気温水器５６とを同じ収納空間内に設ける場合と比べて、第１収納空間ＳＳ１の容積を大きくすることができるとともに、第１収納空間ＳＳ１に物品を出し入れする際などに電気温水器５６に手が当たることがなく、第１収納空間ＳＳ１に物品を出し入れし易くすることができる。また、物品の出し入れなどの際に電気温水器５６に手が当たり、電気温水器５６に不具合が生じてしまうことなども抑制することができる。
【０１０７】
さらには、排水管５４と電気温水器５６とを同じ収納空間内に設ける場合と比べて、電気温水器５６から発せられる熱を排水管５４に伝わり難くし、電気温水器５６から発せられる熱に起因して排水管５４の外表面に結露が生じてしまうことを抑制することができる。例えば、冬場などの外気温が低い時に、電気温水器５６から発せられた熱により、内部に封水を溜めたトラップ部５４ａの外表面などに結露が生じてしまうことを抑制することができる。これにより、結露した水が第１収納空間ＳＳ１内の収納物品に悪影響を及ぼしたり、結露した水が第１収納空間ＳＳ１内を汚してしまうことなどを抑制することができる。従って、壁掛け式のキャビネット５０を備えたトイレユニット１０において、使い勝手を向上させることができる。
【０１０８】
また、トイレユニット１０では、電気温水器５６が、第２収納空間ＳＳ２内において紙巻器６４、６６の背後に設けられる。これにより、デッドスペースとなり易い紙巻器６４、６６の背後の空間を有効的に活用することができる。第１収納空間ＳＳ１において高い収納性を維持しつつ、電気温水器５６及び紙巻器６４、６６を効率的に配置することができる。従って、トイレユニット１０の使い勝手をより向上させることができる。
【０１０９】
また、トイレユニット１０では、電気温水器５６が、本体部５６ａの下部を第２収納空間ＳＳ２から下方に突出させ、排水栓５６ｂを第２収納空間ＳＳ２よりも下方に位置させた状態で、キャビネット５０に取り付けられる。これにより、電気温水器５６の水抜きを行う際に、キャビネット５０の取り外しや電気温水器５６の取り外しなどといった大掛かりな作業を行う必要がない。トイレユニット１０では、例えば、目隠し板９０を取り外し、カバー部材１２０を取り外した後、排水栓５６ｂを操作することにより、電気温水器５６の水抜きを簡単に行うことできる。
【０１１０】
また、トイレユニット１０では、キャビネット５０が床面ＦＳから浮いているため、キャビネット５０の下方の空間に水を受ける容器などを設置することができ、電気温水器５６の水抜きをより簡単に行うことができる。従って、トイレユニット１０の使い勝手をより向上させることができる。また、電気温水器５６を下方に突出させた場合には、電気温水器５６の突出した部分がキャビネット５０に隠れるため、電気温水器５６が使用者に視認されてしまうことも抑制することができる。すなわち、意匠性の低下を抑制しつつ、トイレユニット１０の使い勝手をより向上させることができる。
【０１１１】
また、トイレユニット１０では、キャビネット５０の下部に取り付けられ、電気温水器５６の第２収納空間ＳＳ２よりも下方に突出した部分を覆うカバー部材１２０をさらに備えている。これにより、電気温水器５６が使用者に視認されてしまうことを、より確実に抑制し、トイレユニット１０の意匠性を向上させることができる。
【０１１２】
また、トイレユニット１０では、背板部１０４、１０６、１０８が、収納本体５０ａに取り付けられた状態において、電気温水器５６及び止水栓８０の前方を覆い、キャビネット５０が、背板部１０４、１０６、１０８を収納本体５０ａから取り外した状態において、電気温水器５６及び止水栓８０への前方からのアクセスを可能にする。これにより、電気温水器５６及び止水栓８０の視認を抑制し、意匠性を向上させることができるとともに、背板部１０４、１０６、１０８を取り外すことで、電気温水器５６及び止水栓８０を容易にメンテナンスすることができる。従って、意匠性を向上させつつ、トイレユニット１０の使い勝手をより向上させることができる。
【０１１３】
また、トイレユニット１０では、背板部１０４が、収納本体５０ａに取り付けられた状態において、止水栓８０の第１操作部８０ａを前方に露出させる開口部１０４ａを有する。これにより、背板部１０４を取り外すことなくメンテナンス頻度の高い止水栓８０の第１操作部８０ａを操作することができる。従って、意匠性の低下を抑制しつつ、トイレユニット１０の使い勝手をより向上させることができる。
【０１１４】
また、トイレユニット１０では、キャビネット５０が、リモコン６８、止水栓８０、電磁弁８２、及び制御部８４などのメンテナンスを必要とする部材を、第２収納空間ＳＳ２内にまとめて収納する。これにより、メンテナンスを効率良く行うことができ、トイレユニット１０の使い勝手をより向上させることができる。
【０１１５】
また、トイレユニット１０では、第１収納空間ＳＳ１が、便器２１よりも前方に配置され、第２収納空間ＳＳ２が、第１収納空間ＳＳ１の後方に配置される。これにより、便器２１の前方の比較的広い空間で手洗いを行わせることができるとともに、電気温水器５６をキャビネット５０の中央付近に配置することができ、給水管などの位置によらず、電気温水器５６への給水を行い易くすることができる。従って、トイレユニット１０の使い勝手をより向上させることができる。
【０１１６】
図１２（ａ）及び図１２（ｂ）は、実施形態に係るトイレユニットの変形例を表す斜視図である。  
図１２（ａ）及び図１２（ｂ）に表したように、電気温水器５６が取り付けられていない場合、あるいは、全体が第２収納空間ＳＳ２内に納まるタイプの電気温水器５６が取り付けられている場合には、キャビネット５０の下部に別のカバー部材１２２が取り付けられる。
【０１１７】
カバー部材１２２は、第２収納空間ＳＳ２の下方に向く開口を塞ぐ。カバー部材１２２は、例えば、板状であり、キャビネット５０の下部に取り付けられた状態において、キャビネット５０の底面と略面一になる。カバー部材１２２の外表面の材質は、例えば、キャビネット５０の外表面の材質と実質的に同じである。これにより、電気温水器５６が取り付けられていない場合、あるいは、全体が第２収納空間ＳＳ２内に納まるタイプの電気温水器５６が取り付けられている場合にも、トイレユニット１０の意匠性を向上させることができる。
【０１１８】
このように、第２収納空間ＳＳ２を下方に露出させる開口をキャビネット５０に設ける。電気温水器５６の下部が第２収納空間ＳＳ２よりも下方に突出する場合には、図１１（ａ）及び図１１（ｂ）に関して説明したカバー部材１２０で、電気温水器５６の下部及びキャビネット５０の開口を覆う。そして、電気温水器５６が取り付けられていない場合、あるいは、全体が第２収納空間ＳＳ２内に納まるタイプの電気温水器５６が取り付けられている場合には、図１２（ａ）及び図１２（ｂ）に関して説明したカバー部材１２２で、キャビネット５０の開口を覆う。これにより、電気温水器５６の有無や電気温水器５６の機種など、様々な構成に対応することができ、トイレユニット１０の使い勝手をより向上させることができる。
【０１１９】
電気温水器５６は、必ずしも第２収納空間ＳＳ２よりも下方に突出しなくてもよい。キャビネット５０は、必ずしも第２収納空間ＳＳ２を下方に露出させる開口を有しなくてもよい。カバー部材１２０、１２２は、必要に応じて設けられ、省略可能である。
【０１２０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレシステム２やトイレユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２１】
２ トイレシステム、  １０ トイレユニット、  ２０ トイレ装置、  ２１ 便器、  ２２ 便座、  ２３ 便蓋、  ２４ 機能部、  ２５ 制御部、  ２６ 照明部、  ２７ 人体検知センサ、  ２８ 着座検知センサ、  ３０ 鏡ユニット、  ３１ 鏡本体、  ３２ 制御部、  ３３ 照明部、  ３４ 支持部、  ５０ キャビネット、  ５０ａ 収納本体、  ５２ 手洗い器、  ５４ 排水管、  ５６ 電気温水器、  ５６ａ 本体部、  ５６ｂ 排水栓、  ６０ 引き出し、  ６２ 扉、  ６４、６６ 紙巻器、  ６８ リモコン、  ７０ 操作部、  ７２ 可動部、  ８０ 止水栓、  ８０ａ 第１操作部、  ８０ｂ 第２操作部、  ８２ 電磁弁、  ８４ 制御部、  ９０、９２、９４ 目隠し板、  ９６ 照明部、  １００ 仕切り板、  １０２ 扉、  １０４、１０６、１０８ 背板部、  １１０ 収納部、  １２０、１２２ カバー部材、  ＦＳ 床面、  ＴＲ トイレ室、  ＳＳ１ 第１収納空間、  ＳＳ２ 第２収納空間、  ＳＳ３ 第３収納空間、  ＷＳ 壁面
【図１】
2018102356.tif 000003
【図２】
2018102356.tif 000004
【図３】
2018102356.tif 000005
【図４】
2018102356.tif 000006
【図５】
2018102356.tif 000007
【図６】
2018102356.tif 000008
【図７】
2018102356.tif 000009
【図８】
2018102356.tif 000010
【図９】
2018102356.tif 000011
【図１０】
2018102356.tif 000012
【図１１】
2018102356.tif 000013
【図１２】
2018102356.tif 000014